(57)【要約】【課題】複数の近距離無線回線を適切に選択することで、ハンズフリー通話を適切に行えるようにする。【解決手段】ハンズフリー通話装置１は、ＷｉＦｉハンズフリー通話中にＷｉＦｉ回線の電波状態が悪化すると、ＷｉＦｉ回線の電波状態が悪化したことをユーザに通知し、ユーザがＷｉＦｉ回線からＢＴ回線への切換操作を行うと、ＢＴ回線を接続してＢＴハンズフリー通話を開始した後に、電波状態が悪化したＷｉＦｉ回線を切断してＷｉＦｉハンズフリー通話を終了する。通話相手機器１４との間でハンズフリー通話を中断することなく継続する。【選択図】図１
2012204845.tif 000002
【特許請求の範囲】
【請求項１】
通話相手機器との間でのハンズフリー通話を可能とする第１の近距離無線回線を第１の接続機器との間で接続可能な第１の無線接続手段と、
通話相手機器との間でのハンズフリー通話を可能とする前記第１の近距離無線回線とは別の第２の近距離無線回線を前記第１の接続機器とは別の第２の接続機器との間で接続可能な第２の無線接続手段と、
前記第１の近距離無線回線の接続及び切断を制御すると共に、前記第２の近距離無線回線の接続及び切断を制御する制御手段と、
前記第１の近距離無線回線の電波状態を判定する電波状態判定手段と、を備え、
前記制御手段は、通話相手機器との間で前記第１の近距離無線回線を介してハンズフリー通話中であるときに、前記第１の近距離無線回線の電波状態が第１の所定状態へと移行したことを前記電波状態判定手段が判定した場合に、前記第２の無線接続手段と前記第２の接続機器との間で前記第２の近距離無線回線を接続させて当該第２の近距離無線回線を介したハンズフリー通話を開始した後に、前記第１の無線接続手段と前記第１の接続機器との間で接続中にある前記第１の近距離無線回線を切断させて当該第１の近距離無線回線を介したハンズフリー通話を終了することを特徴とするハンズフリー通話装置。
【請求項２】
請求項１に記載したハンズフリー通話装置において、
接続中にある前記第１の近距離無線回線が切断されたか否かを判定する切断判定手段を備え、
前記制御手段は、通話相手機器との間で前記第１の近距離無線回線を介してハンズフリー通話中であるときに、前記第１の近距離無線回線が切断されたことを前記切断判定手段が判定した場合に、前記第２の無線接続手段と前記第２の接続機器との間で前記第２の近距離無線回線を接続させて当該第２の近距離無線回線を介したハンズフリー通話を開始することを特徴とするハンズフリー通話装置。
【請求項３】
請求項１又は２に記載したハンズフリー通話装置において、
前記第１の無線接続手段と前記第１の接続機器との間で前記第１の近距離無線回線を接続可能な状況であるか否かを判定する接続可能判定手段を備え、
前記制御手段は、通話相手機器との間で前記第２の近距離無線回線を介してハンズフリー通話中であるときに、前記第１の近距離無線回線の電波状態が第２の所定状態へと移行したことを前記電波状態判定手段が判定し且つ前記第１の無線接続手段と前記第１の接続機器との間で前記第１の近距離無線回線を接続可能な状況であることを前記接続可能判定手段が判定した場合に、前記第２の無線接続手段と前記第１の接続機器との間で前記第１の近距離無線回線を接続させて当該第１の近距離無線回線を介したハンズフリー通話を開始した後に、前記第２の無線接続手段と前記第２の接続機器との間で接続中にある前記第２の近距離無線回線を切断させて当該第２の近距離無線回線を介したハンズフリー通話を終了することを特徴とするハンズフリー通話装置。
【請求項４】
通話相手機器との間でのハンズフリー通話を可能とする第１の近距離無線回線を第１の接続機器との間で接続可能な第１の無線接続手段と、
通話相手機器との間でのハンズフリー通話を可能とする前記第１の近距離無線回線とは別の第２の近距離無線回線を前記第１の接続機器とは別の第２の接続機器との間で接続可能な第２の無線接続手段と、
前記第１の近距離無線回線の接続及び切断を制御すると共に、前記第２の近距離無線回線の接続及び切断を制御する制御手段と、
接続中にある前記第１の近距離無線回線が切断されたか否かを判定する切断判定手段と、を備え、
前記制御手段は、通話相手機器との間で前記第１の近距離無線回線を介してハンズフリー通話中であるときに、前記第１の近距離無線回線が切断されたことを前記切断判定手段が判定した場合に、前記第２の無線接続手段と前記第２の接続機器との間で前記第２の近距離無線回線を接続させて当該第２の近距離無線回線を介したハンズフリー通話を開始することを特徴とするハンズフリー通話装置。
【請求項５】
通話相手機器との間でのハンズフリー通話を可能とする第１の近距離無線回線を第１の接続機器との間で接続可能な第１の無線接続手段と、
通話相手機器との間でのハンズフリー通話を可能とする前記第１の近距離無線回線とは別の第２の近距離無線回線を前記第１の接続機器とは別の第２の接続機器との間で接続可能な第２の無線接続手段と、
前記第１の近距離無線回線の接続及び切断を制御すると共に、前記第２の近距離無線回線の接続及び切断を制御する制御手段と、
前記第１の近距離無線回線の電波状態を判定する電波状態判定手段と、
前記第１の無線接続手段と前記第１の接続機器との間で前記第１の近距離無線回線を接続可能な状況であるか否かを判定する接続可能判定手段と、を備え、
前記制御手段は、通話相手機器との間で前記第２の近距離無線回線を介してハンズフリー通話中であるときに、前記第１の近距離無線回線の電波状態が第２の所定状態へと移行したことを前記電波状態判定手段が判定し且つ前記第１の無線接続手段と前記第１の接続機器との間で前記第１の近距離無線回線を接続可能な状況であることを前記接続可能判定手段が判定した場合に、前記第２の無線接続手段と前記第１の接続機器との間で前記第１の近距離無線回線を接続させて当該第１の近距離無線回線を介したハンズフリー通話を開始した後に、前記第２の無線接続手段と前記第２の接続機器との間で接続中にある前記第２の近距離無線回線を切断させて当該第２の近距離無線回線を介したハンズフリー通話を終了することを特徴とするハンズフリー通話装置。
【請求項６】
請求項１乃至３の何れかに記載したハンズフリー通話装置において、
前記制御手段は、前記第１の近距離無線回線から前記第２の近距離無線回線への接続切換を行うユーザの意思がある旨を判定したことを条件として、前記第２の無線接続手段と前記第２の接続機器との間で前記第２の近距離無線回線を接続させて当該第２の近距離無線回線を介したハンズフリー通話を開始した後に、前記第１の無線接続手段と前記第１の接続機器との間で接続中にある前記第１の近距離無線回線を切断させて当該第１の近距離無線回線を介したハンズフリー通話を終了することを特徴とするハンズフリー通話装置。
【請求項７】
請求項２又は４に記載したハンズフリー通話装置において、
前記制御手段は、前記第２の近距離無線回線の接続を行うユーザの意思がある旨を判定したことを条件として、前記第２の無線接続手段と前記第２の接続機器との間で前記第２の近距離無線回線を接続させて当該第２の近距離無線回線を介したハンズフリー通話を開始することを特徴とするハンズフリー通話装置。
【請求項８】
請求項３又は５の何れかに記載したハンズフリー通話装置において、
前記制御手段は、前記第２の近距離無線回線から前記第１の近距離無線回線への接続切換を行うユーザの意思がある旨を判定したことを条件として、前記第２の無線接続手段と前記第１の接続機器との間で前記第１の近距離無線回線を接続させて当該第１の近距離無線回線を介したハンズフリー通話を開始した後に、前記第２の無線接続手段と前記第２の接続機器との間で接続中にある前記第２の近距離無線回線を切断させて当該第２の近距離無線回線を介したハンズフリー通話を終了することを特徴とするハンズフリー通話装置。
【請求項９】
請求項３、５又は８の何れかに記載したハンズフリー通話装置において、
前記接続可能判定手段は、ハンズフリー通話装置の位置と、前記第１の無線接続手段が前記第１の接続機器との間で前記第１の近距離無線回線を接続可能であるか否かを示す圏内地図とを照合した照合結果に基づいて、前記第１の無線接続手段と前記第１の接続機器との間で前記第１の近距離無線回線を接続可能な状況であるか否かを判定することを特徴とするハンズフリー通話装置。
【請求項１０】
請求項１乃至９の何れかに記載したハンズフリー通話装置において、
前記第１の無線接続手段は、車室外の機器を前記第１の接続機器として前記第２の近距離無線回線よりも通話特性に優れた前記第１の近距離無線回線を接続し、
前記第２の無線接続手段は、車室内の機器を前記第２の接続機器として前記第２の近距離無線回線を接続することを特徴とするハンズフリー通話装置。
【発明の詳細な説明】
【技術分野】
【０００１】
本発明は、通話相手機器との間でのハンズフリー通話を可能とする近距離無線回線を接続機器との間で接続するハンズフリー通話装置に関する。
【背景技術】
【０００２】
車室内における携帯電話機の主たる用途としてハンズフリー通話がある。例えばＢｌｕｅｔｏｏｔｈ（登録商標）（以下、ＢＴと称する）通信機能を有するハンズフリー通話装置が車両に搭載されており、ＢＴ通信機能を有する携帯電話機が当該車両の車室内に持込まれると、ハンズフリー通話装置と携帯電話機とが両者の間でＢＴ回線を接続してハンズフリー・プロファイル（ＨＦＰ）を接続し、ハンズフリー通話が可能となる構成が開示されている（例えば特許文献１参照）。
【先行技術文献】
【特許文献】
【０００３】
【特許文献１】特開２００２−２２３２８８号公報
【発明の概要】
【発明が解決しようとする課題】
【０００４】
ところで、近年では、無線技術の進歩に伴い、無線方式が異なる複数の近距離無線回線を選択的に接続可能とする構成が考えられており、ハンズフリー通話装置においても、複数の近距離無線回線を選択的に接続可能とする構成が考えられている。その場合、複数の近距離無線回線をどのようにして選択して接続するかを決定しておかないと、複数の近距離無線回線を適切に選択することができず、ハンズフリー通話を適切に行えなくなる虞がある。
【０００５】
本発明は、上記した事情に鑑みてなされたものであり、その目的は、複数の近距離無線回線を適切に選択することで、ハンズフリー通話を適切に行うことができるハンズフリー通話装置を提供することにある。
【課題を解決するための手段】
【０００６】
請求項１に記載した発明によれば、制御手段は、通話相手機器との間で第１の近距離無線回線を介してハンズフリー通話中であるときに、第１の近距離無線回線の電波状態が第１の所定状態へと移行したことを電波状態判定手段が判定すると、第２の無線接続手段と第２の接続機器との間で第２の近距離無線回線を接続させて当該第２の近距離無線回線を介したハンズフリー通話を開始した後に、第１の無線接続手段と第１の接続機器との間で接続中にある第１の近距離無線回線を切断させて当該第１の近距離無線回線を介したハンズフリー通話を終了する。
【０００７】
これにより、通話相手機器との間で第１の近距離無線回線を介してハンズフリー通話中であるときに、第１の近距離無線回線の電波状態が第１の所定状態（例えば音質や通信速度等の通話特性が低くなった状態）になると、第２の近距離無線回線を介したハンズフリー通話を開始した後に、電波状態が第１の所定状態になった第１の近距離無線回線を介したハンズフリー通話を終了することで、通話相手機器との間でハンズフリー通話を中断する（一旦終了して再開する）ことなく継続することができ、ハンズフリー通話を適切に行うことができる。
【０００８】
請求項２に記載した発明によれば、制御手段は、通話相手機器との間で第１の近距離無線回線を介してハンズフリー通話中であるときに、第１の近距離無線回線が切断されたことを切断判定手段が判定すると、第２の無線接続手段と第２の接続機器との間で第２の近距離無線回線を接続させて当該第２の近距離無線回線を介したハンズフリー通話を開始する。
【０００９】
これにより、通話相手機器との間で第１の近距離無線回線を介してハンズフリー通話中であるときに、第１の近距離無線回線が切断されると、第２の近距離無線回線を介したハンズフリー通話を開始することで、通話相手機器との間でハンズフリー通話を再開することができ、ハンズフリー通話を適切に行うことができる。
【００１０】
請求項３に記載した発明によれば、制御手段は、通話相手機器との間で第２の近距離無線回線を介してハンズフリー通話中であるときに、第１の近距離無線回線の電波状態が第２の所定状態へと移行したことを電波状態判定手段が判定し且つ第１の無線接続手段と第１の接続機器との間で第１の近距離無線回線を接続可能な状況であることを接続可能判定手段が判定すると、第２の無線接続手段と第１の接続機器との間で第１の近距離無線回線を接続させて当該第１の近距離無線回線を介したハンズフリー通話を開始した後に、第２の無線接続手段と第２の接続機器との間で接続中にある第２の近距離無線回線を切断させて当該第２の近距離無線回線を介したハンズフリー通話を終了する。
【００１１】
これにより、通話相手機器との間で第２の近距離無線回線を介してハンズフリー通話中であるときに、第１の近距離無線回線の電波状態が第２の所定状態（例えば音質や通信速度等の通話特性が向上した状態）になり且つ第１の接続機器との間で第１の近距離無線回線を接続可能な状況になると、電波状態が第２の所定状態になった第１の近距離無線回線を介したハンズフリー通話を開始した後に、第２の近距離無線回線を介したハンズフリー通話を終了することで、通話相手機器との間でハンズフリー通話を中断することなくハンズフリー通話を継続することができ、ハンズフリー通話を適切に行うことができる。
【００１２】
請求項４に記載した発明によれば、制御手段は、通話相手機器との間で第１の近距離無線回線を介してハンズフリー通話中であるときに、第１の近距離無線回線が切断されたことを切断判定手段が判定すると、第２の無線接続手段と第２の接続機器との間で第２の近距離無線回線を接続させて当該第２の近距離無線回線を介したハンズフリー通話を開始する。
【００１３】
これにより、上記した請求項２に記載した発明と同様に、通話相手機器との間で第１の近距離無線回線を介してハンズフリー通話中であるときに、第１の近距離無線回線が切断されると、第２の近距離無線回線を介したハンズフリー通話を開始することで、通話相手機器との間でハンズフリー通話を再開することができ、ハンズフリー通話を適切に行うことができる。
【００１４】
請求項５に記載した発明によれば、制御手段は、通話相手機器との間で第２の近距離無線回線を介してハンズフリー通話中であるときに、第１の近距離無線回線の電波状態が第２の所定状態へと移行したことを電波状態判定手段が判定し且つ第１の無線接続手段と第１の接続機器との間で第１の近距離無線回線を接続可能な状況であることを接続可能判定手段が判定すると、第２の無線接続手段と第１の接続機器との間で第１の近距離無線回線を接続させて当該第１の近距離無線回線を介したハンズフリー通話を開始した後に、第２の無線接続手段と第２の接続機器との間で接続中にある第２の近距離無線回線を切断させて当該第２の近距離無線回線を介したハンズフリー通話を終了する。
【００１５】
これにより、上記した請求項３に記載した発明と同様に、通話相手機器との間で第２の近距離無線回線を介してハンズフリー通話中であるときに、第１の近距離無線回線の電波状態が第２の所定状態（例えば音質や通信速度等の通話特性が向上した状態）になり且つ第１の接続機器との間で第１の近距離無線回線を接続可能な状況になると、電波状態が第２の所定状態になった第１の近距離無線回線を介したハンズフリー通話を開始した後に、第２の近距離無線回線を介したハンズフリー通話を終了することで、通話相手機器との間でハンズフリー通話を中断することなくハンズフリー通話を継続することができ、ハンズフリー通話を適切に行うことができる。
【００１６】
請求項６に記載した発明によれば、制御手段は、第１の近距離無線回線から第２の近距離無線回線への接続切換を行うユーザの意思がある旨を判定したことを条件として、第２の無線接続手段と第２の接続機器との間で第２の近距離無線回線を接続させて当該第２の近距離無線回線を介したハンズフリー通話を開始した後に、第１の無線接続手段と第１の接続機器との間で接続中にある第１の近距離無線回線を切断させて当該第１の近距離無線回線を介したハンズフリー通話を終了する。
【００１７】
これにより、電波状態が第１の所定状態になった第１の近距離無線回線を接続したままでハンズフリー通話を継続するか、第１の近距離無線回線から第２の近距離無線回線へと切換えてハンズフリー通話を継続するかをユーザが選択することができる。特に、第１の近距離無線回線を接続したままでハンズフリー通話を継続する場合と、第１の近距離無線回線から第２の近距離無線回線へと切換えてハンズフリー通話を継続する場合とで課金体系が異なる状況では、ユーザが課金を考慮した上で何れかを選択することができる。
【００１８】
請求項７に記載した発明によれば、制御手段は、第２の近距離無線回線の接続を行うユーザの意思がある旨を判定したことを条件として、第２の無線接続手段と第２の接続機器との間で第２の近距離無線回線を接続させて当該第２の近距離無線回線を介したハンズフリー通話を開始する。
【００１９】
これにより、第１の近距離無線回線が切断されたことでハンズフリー通話を終了するか、第２の接続機器との間で第２の近距離無線回線を接続して通話相手機器との間でハンズフリー通話を再開するかをユーザが選択することができる。特に、第２の接続機器との間で第２の近距離無線回線を接続して通話相手機器との間でハンズフリー通話を再開する場合に課金が発生する状況では、ユーザが課金を考慮した上で何れかを選択することができる。
【００２０】
請求項８に記載した発明によれば、制御手段は、第２の近距離無線回線から第１の近距離無線回線への接続切換を行うユーザの意思がある旨を判定したことを条件として、記第２の無線接続手段と第１の接続機器との間で第１の近距離無線回線を接続させて当該第１の近距離無線回線を介したハンズフリー通話を開始した後に、第２の無線接続手段と第２の接続機器との間で接続中にある第２の近距離無線回線を切断させて当該第２の近距離無線回線を介したハンズフリー通話を終了する。
【００２１】
これにより、第２の近距離無線回線を接続したままでハンズフリー通話を継続するか、第２の近距離無線回線から電波状態が第２の所定状態になった第１の近距離無線回線へと切換えてハンズフリー通話を継続するかをユーザが選択することができる。特に、第２の近距離無線回線を接続したままでハンズフリー通話を継続する場合と、第２の近距離無線回線から第１の近距離無線回線へと切換えてハンズフリー通話を継続する場合とで課金体系が異なる状況では、ユーザが課金を考慮した上で何れかを選択することができる。
【００２２】
請求項９に記載した発明によれば、接続可能判定手段は、ハンズフリー通話装置の位置と、第１の無線接続手段が第１の接続機器との間で第１の近距離無線回線を接続可能であるか否かを示す圏内地図とを照合した照合結果に基づいて、第１の無線接続手段と第１の接続機器との間で第１の近距離無線回線を接続可能な状況であるか否かを判定する。
【００２３】
これにより、ハンズフリー通話装置の位置と圏内地図とを照合することで、第１の接続機器との間で第１の近距離無線回線を接続可能な状況であるか否かを判定することができる。
【００２４】
請求項１０に記載した発明によれば、第１の無線接続手段は、車室外の機器を第１の接続機器として第２の近距離無線回線よりも通話特性に優れた第１の近距離無線回線を接続し、第２の無線接続手段は、車室内の機器を第２の接続機器として第２の近距離無線回線を接続する。
【００２５】
これにより、第２の近距離無線回線よりも通話特性に優れた第１の近距離無線回線の電波状態が第１の所定状態になったとしても、ハンズフリー通話を中断することなく、第１の近距離無線回線よりも通話特性に劣るが第２の近距離無線回線を接続してハンズフリー通話を継続することができ、又、第１の近距離無線回線の電波状態が第２の所定状態になり且つ第１の接続機器との間で第１の近距離無線回線を接続可能な状況になると、ハンズフリー通話を中断することなく、第２の近距離無線回線よりも通話特性に優れた第１の近距離無線回線を接続してハンズフリー通話を継続することができる。即ち、通話特性に優れた第１の近距離無線回線を接続可能な状況では、できるだけ第１の近距離無線回線を優先して接続することで、通話特性に優れたハンズフリー通話を提供することができる。
【図面の簡単な説明】
【００２６】
【図１】本発明の一実施形態を示す機能ブロック図
【図２】フローチャート（その１）
【図３】フローチャート（その２）
【図４】シーケンス図（その１）
【図５】シーケンス図（その２）
【図６】シーケンス図（その３）
【図７】ＷｉＦｉ回線からＢＴ回線への切換問合画面を示す図
【図８】ＢＴ回線の接続問合画面を示す図
【図９】ＢＴ回線からＷｉＦｉ回線への切換問合画面を示す図
【発明を実施するための形態】
【００２７】
以下、本発明の一実施形態について、図面を参照して説明する。尚、ここでは、ＷｉＦｉ（登録商標）通信機能及びＢｌｕｅｔｏｏｔｈ（登録商標）（以下、ＢＴと称する）通信機能を有するハンズフリー通話装置が搭載されている車両の車室内に、ＢＴ通信機能を有するＢＴ対応の携帯電話機が車室内に持込まれ、ハンズフリー通話装置と携帯電話機とがＢＴ通信可能な状態にある場合を説明する。ＷｉＦｉとは、通信規格である ＩＥＥＥ  ８０２．１１シリーズ(ＩＥＥＥ  ８０２．１１ａ／ｂ／ｇ／ｎ等)を利用した無線機器間の相互接続性等について認証されたことを示す名称である。
【００２８】
ハンズフリー通話装置１は、制御部２（本発明でいう制御手段、電波状態判定手段、切断判定手段、接続可能判定手段）と、ＷｉＦｉ接続部３（本発明でいう第１の無線接続手段）と、ＢＴ接続部４（本発明でいう第２の無線接続手段）と、通話音声処理部５と、記憶部６と、表示制御部７と、タッチ操作入力部８と、車両ＬＡＮインタフェース（ＩＦ）部９とを備えて構成されている。
【００２９】
制御部２は、周知のマイクロコンピュータからなるＣＰＵ、ＲＡＭ、ＲＯＭ及びＩ／Ｏバス等を有し、ハンズフリー通話装置１の通信動作やデータ管理動作等の動作全般を制御する。ＷｉＦｉ接続部３は、路側（車室外）に設置されているアクセスポイント１０（本発明でいう第１の接続機器）やモバイルルータ１１（本発明でいう第１の接続機器）との間でＷｉＦｉの通信規格に準じたＷｉＦｉ回線（本発明でいう第１の近距離無線回線）を接続可能である。ＢＴ接続部４は、車室内に持込まれているＢＴ対応の携帯電話機１２との間でＢＴの通信規格に準じたＢＴ回線（本発明でいう第２の近距離無線回線）を接続可能であり、ＢＴ回線を接続している上でＢＴの通信規格により定義されているハンズフリー・プロファイル（ＨＦＰ）を接続可能である。ハンズフリー・プロファイルとはハンズフリー通話を実現するためのプロファイルである。
【００３０】
ＢＴは干渉を自動的に排除することができるＡＦＨ（Adaptive Frequency Hopping：適応型周波数ホッピング）技術を使用しており、ＷｉＦｉに比べてリアルタイム性が重要な通話アプリケーションでは有利になると考えられている。尚、ＢＴ接続部４は、ハンズフリー・プロファイルの他に、電話帳データの転送を実現するフォンブック・アクセス・プロファイル（ＰＢＡＰ）、電子メールの転送を実現するメッセージ・アクセス・プロファイル（ＭＡＰ）、各種データの転送を実現するシリアル・ポート・プロファイル（ＳＰＰ）等のプロファイルを接続可能であっても良く、それら複数のプロファイルを同時接続（マルチ接続）可能であっても良い。これらプロファイルは機能毎に定義された通信プロトコルを意味している。
【００３１】
アクセスポイント１０やモバイルルータ１１や携帯電話機１２は、ハンズフリー通話装置１のハンズフリー通話の相手となり得る通話相手機器１４との間で通信網１３を介して広域電話回線を接続可能である。通信網１３とは、携帯電話網、固定電話網、インターネット等を含む通信網である。通話相手機器１４とは、電話機能を有する機器であり、固定電話や携帯電話機等である。
【００３２】
通話音声処理部５には車室内にて例えばハンドルの近傍等のユーザが発した音声を集音し易い部位に配置されているマイクロホン１５が接続されていると共に、ハンズフリー通話装置１の外部に配置されているオーディオアンプ１６が接続されており、オーディオアンプ１６には２個のスピーカ１７，１８が接続されている。又、オーディオアンプ１６にはチューナーデッキ１９も接続されている。オーディオアンプ１６は、チューナーデッキ１９が例えば音楽用記録媒体から再生した楽曲音やラジオ放送局から受信したラジオ番組を当該チューナーデッキ１９から入力すると、それら入力した楽曲音やラジオ番組を増幅してスピーカ１７，１８から出力させる。
【００３３】
記憶部６は、各種データを記憶可能に構成されており、例えば電話番号と登録名との対応を表す電話帳データ、ハンズフリー通話装置１からの発信動作又は当該ハンズフリー通話装置１との間でハンズフリー・プロファイルを接続している携帯電話機１２からの発信動作に係る発信時刻と発信電話番号との対応を表す発信履歴データ、ハンズフリー通話装置１との間でハンズフリー・プロファイルを接続している携帯電話機１２の着信動作に係る着信時刻と着信電話番号との対応を表す着信履歴データ等を記憶可能に構成されている。
【００３４】
ディスプレイ装置２０は、各種表示画面を表示する表示装置２１と、表示画面上にタッチスイッチ等を形成するタッチ操作入力装置２２とを備えて構成されている。表示制御部７は、制御部２から表示指令通知を入力すると、その入力した表示指令通知に基づいて表示装置２１の表示動作を制御する。タッチ操作入力部８は、ユーザが表示画面上に形成されているタッチスイッチを操作したことに応じてタッチ操作入力装置２２から操作検出通知を入力すると、その入力した操作検出通知を制御部２に出力し、制御部２は、タッチ操作入力部８から入力した操作検出通知を解析する。
【００３５】
車両ＬＡＮＩＦ部９は、車両に搭載されているナビゲーションシステム２３と車両ＬＡＮ２４を介して接続されている。ナビゲーションシステム２３は、周知のナビゲーション機能を有しており、車両位置を特定する機能、道路地図を読出す機能、車両位置を道路地図上にマップマッチングする機能、目的地を設定する機能、車両位置から目的地までの経路を探索する機能、探索した経路にしたがって車両走行を案内する機能、車両位置や経路を描画する機能等を有している。
【００３６】
上記した携帯電話機１２は、自機の動作全般を制御する制御部と、通信網１３との間で広域電話回線を接続して電話通信を行う電話通信部と、ハンズフリー通話装置１との間でＢＴ回線を接続してＢＴ通信を行うＢＴ接続部と、ユーザが操作する各種キーが配列されてなるキー入力部と、各種表示画面を表示する表示部と、ユーザが発した音声を入力するマイクロホンと、通話相手機器１４から通信網１３を介して受信した音声を受話音声として出力するスピーカ等を備えて構成されている。
【００３７】
携帯電話機１２は、通話モードとしてハンドセット通話モードとハンズフリー通話モードとを選択的に切換える。携帯電話機１２は、ハンドセット通話モードを設定している場合であれば、自機のマイクロホン及びスピーカを有効とし（音声経路を接続し）、通話相手機器１４から広域電話回線を介して音声を受信すると、その受信した音声をスピーカから受話音声として出力すると共に、ユーザが発した音声をマイクロホンにより入力すると、その入力した音声を送話音声として広域電話回線を介して通話相手機器１４へ送信する。携帯電話機１２は、ハンズフリー通話モードを設定している場合であれば、自機のマイクロホン及びスピーカを無効とし（音声経路を切断し）、通話相手機器１４から広域電話回線を介して音声を受信すると、その受信した音声をＢＴ回線を介してハンズフリー通話装置１へ送信することで、その受信した音声をハンズフリー通話装置１に接続されているスピーカ１７，１８から受話音声として出力させると共に、ユーザが発した音声をハンズフリー通話装置１に接続されているマイクロホン１５により入力し、その入力した音声を送話音声としてハンズフリー通話装置１からＢＴ回線を介して受信すると、その受信した送話音声を広域電話回線を介して通話相手機器１４へ送信する。
【００３８】
上記した構成において、制御部２は、ＷｉＦｉ接続部３とアクセスポイント１０やモバイルルータ１１との間でＷｉＦｉ回線を接続させることでＷｉＦｉ回線を介してハンズフリー通話を行うことが可能であり、又、上記したようにＢＴ接続部４と携帯電話機１２との間でＢＴ回線を接続させることでＢＴ回線を介してハンズフリー通話を行うことが可能である。
【００３９】
制御部２は、ＷｉＦｉ回線を介してハンズフリー通話を行うＷｉＦｉハンズフリー通話中であるときには、ＷｉＦｉ接続部３とアクセスポイント１０やモバイルルータ１１との間でＷｉＦｉ回線を接続させていることで、通話相手機器１４からアクセスポイント１０やモバイルルータ１１を経由してＷｉＦｉ回線を介して音声をＷｉＦｉ接続部３により受信すると、その受信した音声をハンズフリー通話装置１に接続されているスピーカ１７，１８から受話音声として出力させると共に、ユーザが発した音声をハンズフリー通話装置１に接続されているマイクロホン１５により入力すると、その入力した音声を送話音声としてＷｉＦｉ接続部３からＷｉＦｉ回線を介してアクセスポイント１０やモバイルルータ１１を経由して通話相手機器１４へ送信させる。
【００４０】
一方、制御部２は、ＢＴ回線を介してハンズフリー通話を行うＢＴハンズフリー通話中であるときには、ＢＴ接続部４と携帯電話機１２との間でＢＴ回線を接続させていることで、通話相手機器１４から携帯電話機１２を経由してＢＴ回線を介して音声をＢＴ接続部４により受信すると、その受信した音声をハンズフリー通話装置１に接続されているスピーカ１７，１８から受話音声として出力させると共に、ユーザが発した音声をハンズフリー通話装置１に接続されているマイクロホン１５により入力すると、その入力した音声を送話音声としてＢＴ接続部４からＢＴ回線を介して携帯電話機１２を経由して通話相手機器１４へ送信させる。尚、ＷｉＦｉハンズフリー通話とＢＴハンズフリー通話とでは、前者の方が後者よりも音質、通信速度及び課金（通話料金コスト）の面で優れている。
【００４１】
又、ナビゲーションシステム２３は、ＷｉＦｉ通信の通信圏内と通信圏外との境界を示すＷｉＦｉ通信圏内地図を例えば記録媒体（図示せず）から読出可能になっており、その読出したＷｉＦｉ通信圏内地図をハンズフリー通話装置１へ出力する。この場合、制御部２は、ナビゲーションシステム２３が特定した車両位置を当該ナビゲーションシステム２３から入力すると共に、ナビゲーションシステム２３が記録媒体から読出したＷｉＦｉ通信圏内地図を当該ナビゲーションシステム２３から入力すると、それら車両位置とＷｉＦｉ通信圏内地図とを照合することで、ハンズフリー通話装置１のＷｉＦｉ接続部３がＷｉＦｉ回線を接続可能であるか否かを判定する。
【００４２】
次に、上記した構成の作用について、図２乃至図９を参照して説明する。図２は、制御部２がＷｉＦｉハンズフリー通話中に行うＷｉＦｉハンズフリー通話中処理を示しており、図３は、制御部２がＢＴハンズフリー通話中に行うＢＴハンズフリー通話中処理を示している。以下、ＷｉＦｉハンズフリー通話中処理及びＢＴハンズフリー通話中処理について順次説明する。尚、これ以降、ＷｉＦｉ接続部３とアクセスポイント１０とが両者の間でＷｉＦｉ回線を接続する場合を説明するが、ＷｉＦｉ接続部３とモバイルルータ１１とが両者の間でＷｉＦｉ回線を接続する場合も同様である。
【００４３】
（１）ＷｉＦｉハンズフリー通話中処理
ハンズフリー通話装置１において、制御部２は、ＷｉＦｉハンズフリー通話中にあるときには、ＷｉＦｉ接続部３とアクセスポイント１０との間でＷｉＦｉ回線を接続させていると共に、アクセスポイント１０と通話相手機器１４との間で通信網１３を介して広域電話回線を接続させている。
【００４４】
制御部２は、ＷｉＦｉハンズフリー通話中処理を開始すると、ＷｉＦｉ回線の電波状態が悪化したか否か（第１の所定状態へと移行したか否か）を判定すると共に、ＷｉＦｉ接続部３とアクセスポイント１０との間で接続させているＷｉＦｉ回線がユーザの意思とは関係なく切断（瞬断）されたか否かを判定する（ステップＳ１、Ｓ２）。具体的には、制御部２は、ＷｉＦｉ回線の電波状態が悪化したか否かを判定する場合には、例えばアクセスポイント１０からＷｉＦｉ回線を介してＷｉＦｉ接続部３により受信した信号の受信電界強度（ＲＳＳＩ）や符号誤り率（ＢＥＲ）が所定値未満になったか否かを判定したり、アクセスポイント１０からＷｉＦｉ回線を介してＷｉＦｉ接続部３により受信した信号の受信電界強度や符号誤り率が携帯電話機１２からＢＴ回線を介してＢＴ接続部４により受信した信号の受信電界強度や符号誤り率よりも低くなったか否かを判定したりすることで、ＷｉＦｉ回線の電波状態が悪化したか否かを判定する。即ち、制御部２は、ＷｉＦｉ回線の電波状態を絶対的及び相対的の何れかにより判定することで、ＷｉＦｉ回線の電波状態が悪化したか否かを判定する。
【００４５】
ここで、制御部２は、例えばアクセスポイント１０からＷｉＦｉ回線を介してＷｉＦｉ接続部３により受信した信号の受信電界強度や符号誤り率が所定値未満になったと判定したり、アクセスポイント１０からＷｉＦｉ回線を介してＷｉＦｉ接続部３により受信した信号の受信電界強度や符号誤り率が携帯電話機１２からＢＴ回線を介してＢＴ接続部４により受信した信号の受信電界強度や符号誤り率よりも低くなったと判定したりし、ＷｉＦｉ回線の電波状態が悪化したと判定すると（ステップＳ１にて「ＹＥＳ」）、表示指令通知を表示制御部７へ出力し、図７に示すように、例えば「ＷｉＦｉ回線の電波状態が悪化しています。ＷｉＦｉ回線からＢＴ回線へ切換えますか？」という問合メッセージ３１ａ、「ＹＥＳ」スイッチ３１ｂ、「ＮＯ」スイッチ３１ｃを含むＷｉＦｉ回線からＢＴ回線への切換問合画面３１を表示装置２１に表示させ（ステップＳ３）、ＷｉＦｉ回線からＢＴ回線へ切換えてハンズフリー通話を継続するか否かをユーザに問合せる（選択させる）（ステップＳ４）。この場合、ユーザは、ＷｉＦｉ回線からＢＴ回線へ切換える意思があれば、「ＹＥＳ」スイッチ３１ｂを操作することになり、一方、ＷｉＦｉ回線からＢＴ回線へ切換える意思がなければ、「ＮＯ」スイッチ３１ｃを操作することになる。
【００４６】
制御部２は、タッチ操作入力部８から操作検出通知を入力し、ＷｉＦｉ回線からＢＴ回線への切換問合画面３１にて「ＹＥＳ」スイッチ３１ｂが操作されたと判定すると（ステップＳ４にて「ＹＥＳ」）、接続指令通知（ＢＴの通信規格により定義されているＡＴコマンド）をＢＴ接続部４から携帯電話機１２へ出力させ、ハンズフリー通話装置１の電話番号を発信先電話番号として携帯電話機１２から通信網１３へ発信させる。
【００４７】
制御部２は、ハンズフリー通話装置１の電話番号を発信先電話番号として携帯電話機１２から通信網１３へ発信させたことに応じて、通信網１３から携帯電話機１２が着信し、携帯電話機１２からの着信通知をＢＴ接続部４により受信したと判定すると、ＢＴ接続部４と携帯電話機１２との間でＢＴ回線を接続させる（ステップＳ５）。次いで、制御部２は、携帯電話機１２と通話相手機器１４との間で通信網１３を介して広域電話回線を接続させ、ＢＴ回線を介したハンズフリー通話を開始し、即ち、アクセスポイント１０と携帯電話機１２と通話相手機器１４との３者を通信網１３を介して接続させて３者通話状態を生成する（ステップＳ６）。
【００４８】
次いで、制御部２は、切断指令通知をＷｉＦｉ接続部３からアクセスポイント１０へ出力させ、ＷｉＦｉ接続部３とアクセスポイント１０との間で接続させているＷｉＦｉ回線を切断させて３者通話状態を解除し、ＷｉＦｉ回線を介したハンズフリー通話を終了する一方、ＢＴ回線を介したハンズフリー通話を継続し、ＢＴハンズフリー通話中へと移行する（ステップＳ７）。
【００４９】
制御部２は、上記した一連の処理を行うことで、図４に示すように、ユーザがＷｉＦｉ回線からＢＴ回線へと切換える操作を行うと、ＷｉＦｉ回線を介したハンズフリー通話を終了する前にＢＴ回線を介したハンズフリー通話を開始して３者通話状態を一旦生成し、その後にＷｉＦｉ回線を介したハンズフリー通話を終了することで、通話相手機器１４との間でハンズフリー通話を中断する（一旦終了して再開する）ことなく継続する。即ち、ユーザは、ＷｉＦｉハンズフリー通話よりも通話特性が劣るがＢＴハンズフリー通話により、通話相手機器１４との間でハンズフリー通話を継続することができる。
【００５０】
又、制御部２は、ＷｉＦｉ接続部３とアクセスポイント１０との間で接続させているＷｉＦｉ回線が切断されたと判定すると（ステップＳ２にて「ＹＥＳ」）、表示指令通知を表示制御部７へ出力し、図８に示すように、例えば「ＷｉＦｉ回線が切断されました。ＢＴ回線を接続しますか？」という問合メッセージ３２ａ、「ＹＥＳ」スイッチ３２ｂ、「ＮＯ」スイッチ３２ｃを含むＢＴ回線の接続問合画面３２を表示装置２１に表示させ（ステップＳ８）、ＢＴ回線を接続してハンズフリー通話を再開するか否かをユーザに問合せる（選択させる）（ステップＳ９）。この場合、ユーザは、ハンズフリー通話を再開する意思があれば、「ＹＥＳ」スイッチ３２ｂを操作することになり、一方、ハンズフリー通話を再開する意思がなければ、「ＮＯ」スイッチ３２ｃを操作することになる。
【００５１】
制御部２は、タッチ操作入力部８から操作検出通知を入力し、ＢＴ接続問合画面３２にて「ＹＥＳ」スイッチ３２ｂが操作されたと判定すると（ステップＳ９にて「ＹＥＳ」）、接続指令通知（ＢＴの通信規格により定義されているＡＴコマンド）をＢＴ接続部４から携帯電話機１２へ出力させ、通話相手機器１４の電話番号を発信先電話番号として携帯電話機１２から通信網１３へ発信させる。
【００５２】
制御部２は、通話相手機器１４の電話番号を発信先電話番号として携帯電話機１２から通信網１３へ発信させたことに応じて、通信網１３から携帯電話機１２が着信し、携帯電話機１２からの着信通知をＢＴ接続部４により受信したと判定すると、ＢＴ接続部４と携帯電話機１２との間でＢＴ回線を接続させる（ステップＳ１０）。次いで、制御部２は、携帯電話機１２と通話相手機器１４との間で通信網１３を介して広域電話回線を接続させ、ＢＴ回線を介したハンズフリー通話を開始し、ＢＴハンズフリー通話中へと移行する（ステップＳ１１）。
【００５３】
制御部２は、上記した一連の処理を行うことで、図５に示すように、ユーザがＢＴ回線を接続する操作を行うと、ＢＴ回線を接続し、ＢＴハンズフリー通話を開始することで、切断されたハンズフリー通話を再開する。即ち、ユーザは、ＷｉＦｉハンズフリー通話よりも通話特性が劣るがＢＴハンズフリー通話により、通話相手機器１４との間でハンズフリー通話を再開することができる。
【００５４】
（２）ＢＴハンズフリー通話中処理
ハンズフリー通話装置１において、制御部２は、ＢＴハンズフリー通話中にあるときには、ＢＴ接続部４と携帯電話機１２との間でＢＴ回線を接続させていると共に、携帯電話機１２と通話相手機器１４との間で通信網１３を介して広域電話回線を接続させている。
【００５５】
制御部２は、ＢＴハンズフリー通話中処理を開始すると、ナビゲーションシステム２３から現在の車両位置とＷｉＦｉ通信圏内地図とを入力し、それら入力した現在の車両位置とＷｉＦｉ通信圏内地図とを照合することで、現在の車両位置がＷｉＦｉ通信圏内であるか否かを判定する（ステップＳ２１）。
【００５６】
制御部２は、現在の車両位置がＷｉＦｉ通信圏内地図により示されるＷｉＦｉ通信圏内に存在し、現在の車両位置がＷｉＦｉ通信圏内であると判定すると（ステップＳ２１にて「ＹＥＳ」）、ＷｉＦｉ回線の電波状態が良好になったか否か（第２の所定状態へと移行したか否か）を判定する（ステップＳ２２）。具体的には、制御部２は、例えばアクセスポイント１０からＷｉＦｉ回線を介してＷｉＦｉ接続部３により受信した信号の受信電界強度や符号誤り率が所定値以上になったか否かを判定したり、アクセスポイント１０からＷｉＦｉ回線を介してＷｉＦｉ接続部３により受信した信号の受信電界強度や符号誤り率が携帯電話機１２からＢＴ回線を介してＢＴ接続部４により受信した信号の受信電界強度や符号誤り率よりも高くなったか否かを判定したりすることで、ＷｉＦｉ回線の電波状態が悪化したか否かを判定する。即ち、制御部２は、ＷｉＦｉ回線の電波状態を絶対的及び相対的の何れかにより判定することで、ＷｉＦｉ回線の電波状態が良好になったか否かを判定する。
【００５７】
ここで、制御部２は、例えばアクセスポイント１０からＷｉＦｉ回線を介してＷｉＦｉ接続部３により受信した信号の受信電界強度や符号誤り率が所定値以上になったと判定したり、アクセスポイント１０からＷｉＦｉ回線を介してＷｉＦｉ接続部３により受信した信号の受信電界強度や符号誤り率が携帯電話機１２からＢＴ回線を介してＢＴ接続部４により受信した信号の受信電界強度や符号誤り率よりも高くなったと判定したりし、ＷｉＦｉ回線の電波状態が良好になったと判定すると（ステップＳ２２にて「ＹＥＳ」）、ナビゲーションシステム２３から現在の車両位置から目的地までの走行予定経路とＷｉＦｉ通信圏内地図とを入力し、それら入力した走行予定経路とＷｉＦｉ通信圏内地図とを照合することで、これから車両が走行する区域がＷｉＦｉ通信圏内であるか否かを判定する（ステップＳ２３）。
【００５８】
制御部２は、走行予定経路がＷｉＦｉ通信圏内地図により示されるＷｉＦｉ通信圏内に存在し、これから車両が走行する区域がＷｉＦｉ通信圏内であると判定すると（ステップＳ２３にて「ＹＥＳ」）、表示指令通知を表示制御部７へ出力し、図９に示すように、例えば「ＷｉＦｉ通信圏内に入りました。ＢＴ回線からＷｉＦｉ回線へ切換えますか？」という問合メッセージ３３ａ、「ＹＥＳ」スイッチ３３ｂ、「ＮＯ」スイッチ３３ｃを含むＢＴ回線からＷｉＦｉ回線への切換問合画面３３を表示装置２１に表示させ（ステップＳ３）、ＢＴ回線からＷｉＦｉ回線へ切換えてハンズフリー通話を継続するか否かをユーザに問合せる（選択させる）（ステップＳ２４）。この場合、ユーザは、ＢＴ回線からＷｉＦｉ回線へ切換える意思があれば、「ＹＥＳ」スイッチ３３ｂを操作することになり、一方、ＢＴ回線からＷｉＦｉ回線へ切換える意思がなければ、「ＮＯ」スイッチ３３ｃを操作することになる。
【００５９】
制御部２は、タッチ操作入力部８から操作検出通知を入力し、ＢＴ回線からＷｉＦｉ回線への切換問合画面３３にて「ＹＥＳ」スイッチ３３ｂが操作されたと判定すると（ステップＳ２５にて「ＹＥＳ」）、接続指令通知をＷｉＦｉ接続部３からアクセスポイント１０へ出力させ、ハンズフリー通話装置１の電話番号を発信先電話番号としてアクセスポイント１０から通信網１３へ発信させる。
【００６０】
制御部２は、ハンズフリー通話装置１の電話番号を発信先電話番号としてアクセスポイント１０から通信網１３へ発信させたことに応じて、通信網１３からアクセスポイント１０が着信し、アクセスポイント１０からの着信通知をＷｉＦｉ接続部３により受信したと判定すると、ＷｉＦｉ接続部３とアクセスポイント１０との間でＷｉＦｉ回線を接続させる（ステップＳ２６）。次いで、制御部２は、アクセスポイント１０と通話相手機器１４との間で通信網１３を介して広域電話回線を接続させ、ＷｉＦｉ回線を介したハンズフリー通話を開始し、即ち、アクセスポイント１０と携帯電話機１２と通話相手機器１４との３者を通信網１３を介して接続させて３者通話状態を生成する（ステップＳ２７）。
【００６１】
次いで、制御部２は、切断指令通知をＢＴ接続部４から携帯電話機１２へ出力させ、ＢＴ接続部４と携帯電話機１２との間で接続させているＢＴ回線を切断させて３者通話状態を解除し、ＢＴ回線を介したハンズフリー通話を終了する一方、ＷｉＦｉ回線を介したハンズフリー通話を継続し、ＷｉＦｉハンズフリー通話中へと移行する（ステップＳ２８）。
【００６２】
尚、制御部２は、ＷｉＦｉ回線の電波状態が良好になったと判定したが（ステップＳ２２にて「ＹＥＳ」）、これから車両が走行する区域がＷｉＦｉ通信圏内であると判定しないと（ＷｉＦｉ通信圏外であると判定すると）（ステップＳ２３にて「ＮＯ」）、ＢＴ回線からＷｉＦｉ回線への切換問合画面３３を表示装置２１に表示させることはなく、ＢＴハンズフリー通話中を継続する。
【００６３】
制御部２は、上記した一連の処理を行うことで、図６に示すように、ユーザがＢＴ回線からＷｉＦｉ回線へと切換える操作を行うと、ＢＴ回線を介したハンズフリー通話を終了する前にＷｉＦｉ回線を介したハンズフリー通話を開始して３者通話状態を一旦生成し、その後にＢＴ回線を介したハンズフリー通話を終了することで、通話相手機器１４との間でハンズフリー通話を中断することなく継続する。即ち、ユーザは、ＢＴハンズフリー通話よりも通話特性が優れるＷｉＦｉハンズフリー通話により、通話相手機器１４との間でハンズフリー通話を継続することができる。
【００６４】
ところで、以上は、ＷｉＦｉ回線からＢＴ回線へと切換えてハンズフリー通話を継続するか否かをユーザに問合せたり、ＢＴ回線を接続してハンズフリー通話を再開するか否かをユーザに問合せたり、ＢＴ回線からＷｉＦｉ回線へと切換えてハンズフリー通話を継続するか否かをユーザに問合せたりし、ユーザが操作したことを条件として、ＷｉＦｉ回線からＢＴ回線へと切換えたり、ＢＴ回線を接続したり、ＢＴ回線からＷｉＦｉ回線へと切換えたりした場合を説明したが、必ずしもユーザに問合せる必要はなく、ユーザに問合せることなく無条件で、ＷｉＦｉ回線からＢＴ回線へと切換えたり、ＢＴ回線を接続したり、ＢＴ回線からＷｉＦｉ回線へと切換えたりしても良い。又、上記したＷｉＦｉ回線からＢＴ回線への切換問合画面３１やＢＴ回線の接続問合画面３２やＢＴ回線からＷｉＦｉ回線への切換問合画面３３を表示装置２１に表示させるタイミング及びユーザの操作を受付けるタイミングとしては、車両の走行速度が運転に支障を来たさない程度の速度まで低下した期間や車両が例えば信号待ち等で停止している期間であることが望ましい。
【００６５】
以上に説明したように本実施形態によれば、ハンズフリー通話装置１において、ＷｉＦｉハンズフリー通話中にＷｉＦｉ回線の電波状態が悪化すると、ＷｉＦｉ回線の電波状態が悪化したことをユーザに通知し、ユーザがＷｉＦｉ回線からＢＴ回線への切換操作を行うと、ＢＴ回線を接続してＢＴハンズフリー通話を開始した後に、電波状態が悪化したＷｉＦｉ回線を切断してＷｉＦｉハンズフリー通話を終了するようにしたので、通話相手機器１４との間でハンズフリー通話を中断することなく継続することができる。又、この場合、ＷｉＦｉ回線の電波状態が悪化したことをユーザに通知し、ＷｉＦｉ回線からＢＴ回線へと切換えるか否かをユーザに問合せるようにしたので、ＷｉＦｉ回線からＢＴ回線へと切換えるか否か、即ち、ＷｉＦｉハンズフリー通話からＢＴハンズフリー通話へと切換えてハンズフリー通話を継続するか否かをユーザが選択することができる。
【００６６】
又、ＷｉＦｉハンズフリー通話中であるときにＷｉＦｉ回線が切断されると、ＷｉＦｉ回線が切断されたことをユーザに通知し、ユーザがＢＴ回線の接続操作を行うと、ＢＴ回線を接続してＢＴハンズフリー通話を開始するようにしたので、通話相手機器１４との間でハンズフリー通話を再開することができる。又、この場合、ＷｉＦｉ回線が切断されたことをユーザに通知し、ＢＴ回線を接続するか否かをユーザに問合せるようにしたので、ＢＴ回線を接続するか否か、即ち、ハンズフリー通話を再開するか否かをユーザが選択することができる。
【００６７】
又、ＢＴハンズフリー通話中であるときにＷｉＦｉ回線の電波状態が良好になると、ＷｉＦｉ回線の電波状態が良好になったことをユーザに通知し、ユーザがＢＴ回線からＷｉＦｉ回線への切換操作を行うと、ＷｉＦｉ回線を接続してＷｉＦｉハンズフリー通話を開始した後に、ＢＴ回線を切断してＢＴハンズフリー通話を終了するようにしたので、通話相手機器１４との間でハンズフリー通話を中断することなく継続することができる。又、この場合、ＷｉＦｉ回線の電波状態が良好になったことをユーザに通知し、ＢＴ回線からＷｉＦｉ回線へと切換えるか否かをユーザに問合せるようにしたので、ＢＴ回線からＷｉＦｉ回線へと切換えるか否か、即ち、ＢＴハンズフリー通話からＷｉＦｉハンズフリー通話へと切換えてハンズフリー通話を継続するか否かをユーザが選択することができる。
【００６８】
本発明は、上記した実施形態にのみ限定されるものではなく、以下のように変形又は拡張することができる。
ハンズフリー通話装置１は、ナビゲーションシステム２３が有するナビゲーション機能を有する構成であっても良い。
【００６９】
ハンズフリー通話装置１がＷｉＦｉやＢＴに限らず他の通信規格に準じた近距離無線回線を接続する構成であっても良い。
制御部２が現在の車両位置や走行予定経路とＷｉＦｉ通信圏内地図とを照合する構成に限らず、ナビゲーションシステム２３が現在の車両位置や走行予定経路とＷｉＦｉ通信圏内地図とを照合し、制御部２がナビゲーションシステム２３から照合結果を入力する構成であっても良い。
【００７０】
車両が新規の経路を走行する毎にＷｉＦｉ通信圏内であるか否かを履歴として記憶し、その履歴を参照することで、これから車両が走行する区域がＷｉＦｉ通信圏内であるか否かを判定するようにしても良い。
【００７１】
これから車両が走行する区域がＷｉＦｉ通信圏内であるか否かを判定する場合において、走行予定経路のうちＷｉＦｉ通信圏内で連続する区間が所定距離以上である場合に限って、これから車両が走行する区域がＷｉＦｉ通信圏内であると判定する一方、ＷｉＦｉ通信圏内であっても連続する区間が所定距離未満である場合には、これから車両が走行する区域がＷｉＦｉ通信圏内でないと判定するようにしても良い。このように構成すれば、ＢＴ回線からＷｉＦｉ回線へと切換えた直後にＷｉＦｉ回線からＢＴ回線へと再度切換えてしまうことを回避することができ、ＢＴハンズフリー通話とＷｉＦｉハンズフリー通話とを頻繁に切換えてしまうことを回避することができる。
【００７２】
又、これから車両が走行する区域がＷｉＦｉ通信圏内であるか否かを判定することなく、現在の車両位置がＷｉＦｉ通信圏内であると判定し、且つＷｉＦｉ回線の電波状態が良好になったと判定した場合に、ＢＴ回線からＷｉＦｉ回線への切換問合画面３３を表示装置２１に表示させるようにしても良い。
【符号の説明】
【００７３】
図面中、１はハンズフリー通話装置、２は制御部（制御手段、電波状態判定手段、切断判定手段、接続可能判定手段）、３はＷｉＦｉ接続部（第１の無線接続手段）、４はＢＴ接続部（第２の無線接続手段）、１０はアクセスポイント（第１の接続機器）、１１はモバイルルータ（第１の接続機器）、１２は携帯電話機（第２の接続機器）である。
【図１】
2012204845.tif 000003
【図２】
2012204845.tif 000004
【図３】
2012204845.tif 000005
【図４】
2012204845.tif 000006
【図５】
2012204845.tif 000007
【図６】
2012204845.tif 000008
【図７】
2012204845.tif 000009
【図８】
2012204845.tif 000010
【図９】
2012204845.tif 000011